(57)【要約】【課題】微細ミストの発生を阻害することなく、発生させた微細ミストを湿潤空気と共に広く室内に拡散させることが可能な加湿装置を提供する。【解決手段】加湿装置（１００）においては、霧化装置（４０）の放電電極（４２）が、先端部を含めて、加湿装置（１００）の本体（１）内における気化フィルタ（１１）の外側の気化した液体を含む空気の流路に配され、さらに、気化フィルタ（１１）より飛散した液滴によるミストの不発生を防止する防止機構としての遮蔽部（５０）が設けられている。【選択図】図１
2016095115.tif 000002
【特許請求の範囲】
【請求項１】
トレイと、該トレイの上方に回転可能に配された筒状の気化フィルタと、該気化フィルタ内に配されたファンと、該ファンを駆動する第１駆動機構と、前記気化フィルタの外側に設けられた排気口と、電極に電圧を印加して、該電極に担持された液体を静電霧化して前記電極の先端部より帯電したミストを発生させる霧化装置とを備えた加湿装置であって、
前記電極が先端部を含めて、当該加湿装置の本体内の、前記気化フィルタの外側の気化した液体を含む空気の流路に配され、かつ、
前記気化フィルタより飛散した液滴により生じる前記ミストの不発生を防止する防止機構が設けられていることを特徴とする加湿装置。
【請求項２】
前記防止機構は、前記電極における前記液滴が飛散してくる側を覆う遮蔽部であることを特徴とする請求項１に記載の加湿装置。
【請求項３】
前記遮蔽部は、前記電極における前記ファンの回転方向下流側に搖動自在に設けられ、前記ファンの回転にて生成される気流によって前記電極側に傾く壁状部材であることを特徴とする請求項２に記載の加湿装置。
【請求項４】
前記遮蔽部は、第２駆動機構にて搖動される壁状部材であり、
前記加湿装置は、さらに、
前記本体内の湿度を検出する湿度センサと、
前記湿度センサにて検出された湿度に応じて前記第２駆動機構を駆動して前記壁状部材の前記電極側への傾きを変化させる制御部と、を備えることを特徴とする請求項２に記載の加湿装置。
【請求項５】
前記電極は、前記ファンの回転軸の軸方向に沿って複数並んで設けられており、
前記防止機構は、液滴が付着した状態でもミストを発生し得る間隔に設けられた前記複数の電極である、ことを特徴とする請求項１に記載の加湿装置。
【発明の詳細な説明】
【技術分野】
【０００１】
本発明は、気化フィルタとファンと霧化装置とを備えた加湿装置に関する。
【背景技術】
【０００２】
従来、回転可能な筒状の気化フィルタ内にファンを配置し、ファンで空気を取り込み、気化フィルタを介して排気口から送り出す加湿装置がある。気化フィルタは、保水性，離水性に優れたフィルタ素材をドラム状の支持体に巻き付けた構成であり、空気は気化フィルタを通ることで湿潤空気となる（例えば、特許文献１、２）。
【０００３】
また、霧化装置を搭載し、帯電した微小な粒子径を有する微細ミストを放出できる加湿装置もある（例えば、特許文献３）。霧化装置は、潮解性を有する放電電極を備え、空気中の水分を結露させて放電電極の表面に担持する。放電電極と対向電極との間に高電圧が印加されると、放電電極に担持された水が静電霧化され、放電電極の先端部より微細ミストが発生する。
【先行技術文献】
【特許文献】
【０００４】
【特許文献１】特開２０１４‐６６３８２号公報（２０１４年４月１７日公開）
【特許文献２】特開２０１４‐６６３７８号公報（２０１４年４月１７日公開）
【特許文献３】特開２０１４‐６４９６４号公報（２０１４年４月１７日公開）
【発明の概要】
【発明が解決しようとする課題】
【０００５】
しかしながら、上記従来の加湿装置においては、発生させた微細ミストを室内に拡散する能力が低いといった問題がある。
【０００６】
これは、上記従来の加湿装置においては、微細ミストが発生する放電電極の先端部を、気化フィルタとは別の空間に配置しているためである。このような構成では、発生した微細ミストは、加湿装置の近傍の限られた空間に滞留してしまい、室内に拡散され難い。
【０００７】
本発明は、上記課題を解決するためになされたもので、その目的は、微細ミストの発生を阻害することなく、発生させた微細ミストを湿潤空気と共に広く室内に拡散させることが可能な加湿装置を提供することにある。
【課題を解決するための手段】
【０００８】
上記の課題を解決するために、本発明の一態様に係る加湿装置は、トレイと、該トレイの上方に回転可能に配された筒状の気化フィルタと、該気化フィルタ内に配されたファンと、該ファンを駆動する第１駆動機構と、前記気化フィルタの外側に設けられた排気口と、電極に電圧を印加して、該電極に担持された液体を静電霧化して前記電極の先端部より帯電したミストを発生させる霧化装置とを備えた加湿装置であって、前記電極が先端部を含めて、当該加湿装置本体内の、前記気化フィルタの外側の気化した液体を含む空気の流路に配され、かつ、前記気化フィルタより飛散した液滴により生じる前記ミストの不発生を防止する防止機構が設けられている、ことを特徴としている。
【発明の効果】
【０００９】
本発明の一態様によれば、微細ミストの発生を阻害することなく、発生させた微細ミストを湿潤空気と共に広く室内に拡散させることができるという効果を奏する。
【図面の簡単な説明】
【００１０】
【図１】本発明の実施の形態１に係る加湿装置の本体背面から見た模式的な構造を示す断面図である。
【図２】上記加湿装置の前面方向から見た斜視図である。
【図３】上記加湿装置の背面方向から見た斜視図である。
【図４】上記加湿装置の側面方向から見た要部縦断面図である。
【図５】上記加湿装置の本体背面から見た空気の流れを説明する図である。
【図６】上記加湿装置に搭載された霧化装置の斜視図である。
【図７】上記加湿装置に取り付けられた遮蔽部の斜視図である。
【図８】（ａ）および（ｂ）は遮蔽部の動きを説明する図である。
【図９】（ａ）および（ｂ）は上記加湿装置に取り付け可能な別の遮蔽部の動きを説明する図である。
【図１０】本発明の実施の形態２に係る加湿装置の本体背面から見た模式的な構造を示す断面図である。
【図１１】本発明の実施の形態３に係る加湿装置に搭載された霧化装置の斜視図である。
【図１２】本発明の実施の形態１の加湿装置における霧化装置および壁状部材の寸法および位置関係の一例を示す図である。
【図１３】本発明の実施の形態２の加湿装置における湿度に対する壁状部材の傾き角の一例を示すグラフである。
【図１４】本発明の実施の形態２の加湿装置に搭載された湿度センサの標準温湿度特性を示すグラフである。
【発明を実施するための形態】
【００１１】
〔実施の形態１〕
以下、本発明の実施の形態について、詳細に説明する。
【００１２】
図１〜図８は、本発明の実施形態１における加湿装置１００を示している。先ず、加湿装置１００の全体的な構成について、図１〜図４を参照して説明する。
【００１３】
加湿装置１００は、背面側が開口された釣鐘型の断面形状を有する本体１を有する。本体１の背面には、吸気口２１が形成された後パネル３が取り付けられている。本体１の前面には、前パネル４が取り付けられている。本体１、後パネル３および前パネル４は何れも樹脂製で、これらにより加湿装置１００の外観をなす外郭部材が形成されている。
【００１４】
本体１の上面には、複数のボタンやＬＥＤなどを備えた操作部１８が設けられ、本体１の左右の側面には、多数の開口を有する排気口２０が形成されている。排気口２０は、後述するファン６の外周を取り囲むように形成されている。本体１の内部の空間は、後パネル３および前パネル４を閉じることで、排気口２０および吸気口２１を除いて閉塞される。
【００１５】
本体１内には、複数枚の羽根５を放射状に配置してなるファン６と、ファン６を回転駆動させる送風モータ（第１駆動機構）７と、筒状の気化フィルタ１１とが配設されている。
【００１６】
送風モータ７は回転軸８の軸方向が本体１の前後方向に一致するように配置されている。ファン６は、その側面から空気を吸い込み、その外周から空気を吐き出すターボファンやシロッコファンから構成され、中心に送風モータ７の回転軸８が固定されている。
【００１７】
気化フィルタ１１は円環状の部材であり、ファン６の外周に非接触状態で回転可能に配置されている。気化フィルタ１１は、ドラム状に形成されたフィルタ支持体としてのフィルタケース３１に、フィルタ本体である帯状のフィルタ素材３２が巻付くように取り付けられている。フィルタ素材３２は、保水性能に優れた縫製体や離水性に優れた繊維の集合体等が積層されたものからなる。
【００１８】
ここで、好ましくは、ファン６の回転中心軸６Ａが気化フィルタ１１の回転中心軸１１Ａより上方に配置されていることである（図４参照）。また、この場合、回転中心軸６Ａ，１１Ａは、同一の垂直面に位置するように配置することが好ましい。さらに、ファン６は、気化フィルタ１１の回転方向に対して逆方向に回転駆動するように構成されていることが好ましく、気化フィルタ１１の速度はファン６よりも低速に設定されている。
【００１９】
また、本体１内には、気化フィルタ１１の下方に配設されるトレイ１２と、気化フィルタ１１に水（液体）を送り込む給水用ギアモータ（不図示）と、気化する水の供給源となるタンク（不図示）とが配設されている。タンク（不図示）は、本体１と前パネル４との間に着脱自在に配設されている。
【００２０】
トレイ１２は、タンクから供給された水を貯留する貯留部２７と、給水用ギアモータを駆動源とする給水部３７を備えている。給水部３７は、給水用ギアモータの回転力にて、気化フィルタ１１をファン６の周りにて回転させると共に、気化フィルタ１１の回転を利用して貯留部２７内の水を汲み上げて、気化フィルタ１１の内側からフィルタ素材３２に供給する。
【００２１】
さらに、本体１内には、霧化装置のミスト発生部４０が配設されている。霧化装置は、加湿装置１００の運転時に操作部１８を操作することで動作して、ミスト発生部４０の放電電極４２よりマイナスの電荷を帯びた微小な粒子径を有する微細ミストを放出する。詳細については後述するが、本実施の形態の加湿装置１００においては、ミスト発生部４０は、放電電極４２の先端部を含めて、本体１内における気化フィルタ１１の外側であって、気化した水を含む空気（以下、湿潤空気）の流路に配設されており、これにより、発生させた微細ミストを湿潤空気の気流に乗せて拡散させることができる。
【００２２】
上記構成において、操作部１８を操作して、加湿装置１００の運転を開始すると、送風モータ７に通電され、本体１の内部でファン６が回転する。これにより、吸気口２１を通してファン６の後側面から加湿用空気が取り込まれる。取り込まれた加湿用空気は、図４の矢印に示すように、ファン６の外周方向に向きを変えて気化フィルタ１１を通過する。
【００２３】
加湿装置１００の運転時には、必要に応じて給水用ギアモータに通電される。これにより、気化フィルタ１１を回転させつつ、気化フィルタ１１の内側からフィルタ素材３２に向けて水が供給され、フィルタ素材３２は常に水を含んだ状態となっている。したがって、前記ファン６の回転に伴い気化フィルタ１１を通過する加湿用空気は、フィルタ素材３２から水分を奪って、本体１の側面に形成された排気口２０に湿潤空気として排出されることとなる。
【００２４】
ファン６の回転方向と気化フィルタ１１の回転方向を逆にしたことで、気化フィルタ１１に与える風速を増加させることができる。また、ファン６の回転中心位置（６Ａ）を気化フィルタ１１の回転中心位置（１１Ａ）よりも上方に設けたことで（図４参照）、排気口２０の上側からの排出速度を上げると共に、排気口２０の下側から排出される風速を下げることによりバランスを取ることができる。
【００２５】
次に、加湿装置１００に関する特徴的部分について、図１、図５〜図８を参照してさらに詳しく説明する。
【００２６】
図５に示すように、加湿装置１００において、ファン６を矢印ａにて示す方向に回転させると、ファン６の後側面から取り込まれた空気は矢印ｂに示すように流れる。このような空気の流れと、本体１内の空きスペースとを考慮して、本実施の形態では、図１に示すように、本体１内上部の操作部１８の裏側であって、左右２カ所の排気口２０の近傍に、霧化装置のミスト発生部４０を取り付けている。但し、ミスト発生部４０を取り付ける位置や、取り付け数は、これに限定されるものではない。
【００２７】
霧化装置は、ミスト発生部４０に備えられた保水性を有する放電電極４２と、対向電極（不図示）との間に高電圧が印加されることで、放電電極４２の表面に担持された水を静電霧化して、放電電極４２の先端部より微細ミストを発生させるものである。
【００２８】
放電電極４２は、保水性物質４３で被覆されている。保水性物質４３は、気化フィルタ１１と通過した空気より水分を取り込み、放電電極４２の表面に水を担持する。操作部１８が操作されて、高圧印加部（不図示）より放電電極４２と対向電極（不図示）との間に高電圧が印加されると、放電電極４２の先端部への電荷の集中が起こる。これにより、放電電極４２の先端部に担持された水と対向電極との間にクーロン力が働いて水が帯電し、このクーロン力が水の表面張力を超えると水が分裂（レイリー分裂）を繰り返すことで、ＯＨラジカル（ハイドロキシラジカル又は水酸化ラジカル）などのラジカル（radical又はフリーラジカル、遊離基）たる活性種を含有した粒子径の微細なミストが、先端部より発生する。
【００２９】
放電電極４２は、図６に示すように、一列に並んで複数設けられている。ミスト発生部４０は、これら複数の放電電極４２が、送風モータ７の回転軸（ファン６の回転軸）の軸方向に沿って並ぶように、本体１内に取り付けられている（図１参照）。放電電極４２は、上述したように、その先端部を含めて、本体１内における気化フィルタ１１の外側であって、湿潤空気の流路に配されている。
【００３０】
これにより、本体１の内部に微細ミストが発生することとなり、発生した微細ミストを、本体１の側面に形成された排気口２０から排出される湿潤空気と共に、その気流に乗せて、効果的に拡散させることができる。
【００３１】
また、発生した微細ミストを拡散させるには、放電電極４２の微細ミストの発生部分に風を当てることが常套手段であるが、風によって放電電極４２の表面に担持された水が奪われると、微細ミストを発生できなくなる。上記構成では、微細ミストの発生部分に当たる風は、湿潤空気の風となるので、風が放電電極４２の表面の水を奪うことは起こりにくく、風による放電電極４２の乾きを回避（あるいは抑制）することができる。
【００３２】
また、上記のように、空気中から水分を取り込んで放電電極４２の表面に担持させる構成においては、ミスト発生部４０を本体１外に配設した場合、空気中の水分が少ない乾いた環境では、放電電極４２の表面に水が担持され難いため、結果的に微細ミストが発生できなくなる。しかしながら、このように、本体１内にミスト発生部４０（放電電極４２）を配することで、気化フィルタ１１を通った湿潤空気から水分を取り込むことができるので、室内の空気の状態に関わりなく、効果的に取り込むことができる。
【００３３】
ところで、放電電極４２を本体１内の湿潤空気の流路であって、気化フィルタ１１の外側に配設した場合、放電電極４２に担持される水が多くなり過ぎる恐れがある。これは、気化フィルタ１１から飛散する水滴（液滴）が、放電電極４２に付着するためである。放電電極４２に担持される水が多くなり過ぎると、放電電極４２間でリークが生じたり、漏電が発生したりして、放電電極４２の先端部への電荷の集中が起こらず、微細ミストが発生できなくなる。
【００３４】
そこで、本実施の形態の加湿装置１００においては、図１に示すように、気化フィルタ１１より飛散した水滴（液滴）により生じる微細ミストの不発生を防止する防止機構、換言すると、気化フィルタ１１より飛散した水滴が放電電極４２に付着することによる微細ミストの発生阻害を防止する防止機構として、遮蔽部５０が設けられている。遮蔽部５０は、放電電極４２における水滴が飛散してくる側を覆うものである。
【００３５】
本実施の形態において、遮蔽部５０は、放電電極４２におけるファン６の回転方向下流側に搖動自在に設けられ、ファン６の回転にて生成される気流によって放電電極４２側に傾く壁状部材５１からなる。
【００３６】
壁状部材５１は、図７に示すように、下端側が折曲されたＪ字状もしくはＬ字状の部材であり、ミスト発生部４０と同等の奥行長さを有する。このような壁状部材５１は、上端側本体１内の上部に上端が搖動自在に取り付けられ、自重によって垂下している（図１参照）。
【００３７】
図８の（ａ）に示すように、ファン６が回転していない状態では、壁状部材５１は、自重により垂下し、ファン６が回転すると、図８の（ｂ）に示すように、ファン６の回転にて生成される気流（風）によって放電電極４２側に傾いて、放電電極４２における水滴が飛散してくる側を覆う。このとき、傾く角度は、気流の強さに応じたものとなり、気流が強い程傾く。なお、ミスト発生部４０の放電電極４２の支持部に接触しても問題ないが、放電電極４２へは接触しない構成とする必要がある。また、最も傾いた状態では、放電電極４２の先端部を気化フィルタ１１より完全に遮蔽することが好ましい。
【００３８】
これにより、霧化装置の放電電極４２を、本体１内の湿潤空気の流路であって、気化フィルタ１１の外側に配設した構成としても、気化フィルタ１１から飛散する水滴が放電電極４２に付着することを防止して、放電電極４２の先端部より問題なく微細ミストを発生させることが可能となる。
【００３９】
上記壁状部材５１は、本体１等と同様の樹脂製として、軸等を介して本体１に搖動自在に取り付けてもよいし、あるいは、弾力性を有するシート等より構成して、シートの弾力性を利用して、放電電極４２側に傾かせる構成としてもよい。また、壁状部材５１の形状は、Ｊ字状やＬ字状に限定されるものではなく、図９の（ａ）および（ｂ）に示すように、Ｉ字状のものであってもよい。但し、気化フィルタ１１のフィルタ素材３２の表面と放電電極４２の先端部との間が近く、間を遮る部材を挿入するスペースが小さい場合は、Ｊ字状あるいはＬ字状とすることが好ましい。
【００４０】
なお、霧化装置として、保水性を有する放電電極４２を備えた構成を例示したが、ペルチェ素子等を用いて放電電極を冷却して結露を生じさせて、放電電極に水を担持させる構成の霧化装置であってもよい。
【００４１】
〔実施の形態２〕
本発明の他の実施形態について、図１０に基づいて説明すれば、以下のとおりである。なお、説明の便宜上、前記実施形態にて説明した部材と同じ機能を有する部材については、同じ符号を付記し、その説明を省略する。
【００４２】
図１０に示すように、本実施の形態の加湿装置１０１は、遮蔽部５０として、搖動機構（第２駆動機構）５３にて搖動される壁状部材５２を備えている。また、本体１内の湿度を検出する湿度センサ６０と、湿度センサ６にて検出された湿度に応じて搖動機構５３を駆動して壁状部材５２の放電電極４２への傾きを変化させる制御部６１とを、さらに備えている。
【００４３】
壁状部材５２の形状は、壁状部材５１と同様である。但し、気流（風）の作用にて放電電極４２側へと傾けさせる構成ではないので、弾力性を有するシート等より構成することは適さない。
【００４４】
気化フィルタ１１から飛散する水滴の量（あるいは水滴の数）は、本体１内の湿度に依存することが判明している。本体１内の湿度が高い程、飛散する水滴が増えて、放電電極４２に水滴が付着しやすくなる。
【００４５】
そこで、湿度センサ６０にて本体１内の湿度を検出し、制御部６１が、検出された湿度に応じて、壁状部材５２の傾きを調整する。湿度が低い状態では、水滴が飛散する恐れは殆どないので壁状部材５１の傾きは０°とする。水滴の飛散が懸念される湿度となると、壁状部材５１を傾け、湿度に応じた傾きとする。
【００４６】
〔実施の形態３〕
本発明の他の実施形態について、図１１に基づいて説明すれば、以下のとおりである。なお、説明の便宜上、前記実施形態にて説明した部材と同じ機能を有する部材については、同じ符号を付記し、その説明を省略する。
【００４７】
本実施の形態の加湿装置は、図１１に示すように、気化フィルタ１１より飛散した水滴による微細ミストの不発生を防止する防止機構が、液滴が付着した状態でも微細ミストを発生し得る間隔に設けられた複数の放電電極４２である。換言すると、防止機構を、ミスト発生部４４における放電電極４２間の距離を、放電電極４２に液滴が付着した状態でも問題なく微細ミストを発生し得る距離に設定したことで実現している。
【００４８】
放電電極４２間の距離は、水滴の飛散が最も起こる条件で放電電極４２に付着する水滴の付着量を考慮して、実験に基づいて、あるいはシミュレートによって設定する。
【００４９】
このように、放電電極４２間の距離を、放電電極４２に液滴が付着した状態でも微細ミストを発生し得る距離に設定することで、気化フィルタ１１より飛散した水滴によるミスト生成不良の問題を、新たな部材を増やすことなく実現できる。但し、この場合、放電電極４２の数が従来よりも少なくなるため、同僚の微細ミストを発生させるには、ミスト発生部４４の数を増やす必要がある。
【００５０】
〔実施例１〕
図１２は、実施の形態１の加湿装置１００に搭載された霧化装置のミスト発生部４０と遮蔽部５０である壁状部材５１の寸法および位置関係の一例を示す図である。ミスト発生部４０における放電電極４２を支持する支持部４５の寸法が横×高×奥行：１２ｍｍ×１５ｍｍ×６１ｍｍで、支持部４５から放電電極４２の突出距離が５ｍｍである。この場合、遮蔽部５０の壁状部材５１としては、高×奥行：２５ｍｍ×６１ｍｍの樹脂板（厚みは任意）を端から１５ｍｍのカ所で長手方向と平行に折り曲げたものを、ミスト発生部４０より８ｍｍずらして取り付けている。取り付ける側は、ミスト発生部４０に対して、ファン６の回転方向下流側である。
【００５１】
このような構成とすることで、壁状部材５２が最大２０°程傾いて、放電電極４２における水滴が飛散してくる側を遮ることができる。
【００５２】
〔実施例２〕
図１３は、本発明の実施の形態２の加湿装置１０１における湿度に対する壁状部材５２の傾き角の一例を示すグラフである。制御部６１が、本体１内の湿度に応じて、壁状部材５２の傾きを調整する。図１３の例では、湿度３０％となるまでは傾き０°とし、湿度が３０％となると角度を５°とし、５０％となる角度を１０°とし、７０％以上となると角度を２０°とする。
【００５３】
湿度センサ６０としては、例えば、北陸電気工業株式会社製の「HSU-07F5V3-N」を用いることができる。図１４に、HSU-07F5V3-Nの標準温湿度特性を示す。
【００５４】
〔まとめ〕
本発明の態様１に係る加湿装置１００，１０１は、トレイ１２と、該トレイ１２の上方に回転可能に配された筒状の気化フィルタ１１と、該気化フィルタ１１内に配されたファン６と、該ファン６を駆動する第１駆動機構（送風モータ７）と、気化フィルタ１１の外側に設けられた排気口２０と、電極（放電電極４２）に電圧を印加して、該電極（放電電極４２）に担持された液体を静電霧化して前記電極（放電電極４２）の先端部より帯電したミスト（微細ミスト）を発生させる霧化装置とを備えた加湿装置１００，１０１であって、前記電極（放電電極４２）が先端部を含めて、当該加湿装置１００，１０１の本体１内の、前記気化フィルタ１１の外側の気化した液体を含む空気の流路に配され、かつ、前記気化フィルタ１１より飛散した液滴が前記電極（放電電極４２）に付着することによるミストの発生阻害を防止する防止機構（遮蔽部５０，ミスト発生部４４）が設けられていることを特徴としている。
【００５５】
上記の構成によれば、電極（放電電極４２）が先端部を含めて、加湿装置１００，１０１の本体内の、気化フィルタ１１の外側の気化した液体を含む空気の流路に配されているので、発生させたミストを、気化フィルタ１１を通過した湿潤空気の気流に乗せて、湿潤空気と共に室内に効果的に拡散させることができる。
【００５６】
また、電極（放電電極４２）を湿潤空気の存在する本体１内に設けたことで、保水性を利用して電極（放電電極４２）の表面に水を担持させる構成であっても、室内の空気の乾燥状態に関わらず、水を担持することができる。
【００５７】
さらに、上記構成によれば、防止機構（遮蔽部５０，ミスト発生部４４）が、気化フィルタ１１より飛散した液滴が電極（放電電極４２）に付着することによる微細ミストの不発生を防止するので、前記電極（放電電極４２）を本体１内の湿潤空気の流路に配設した構成としても、問題なく微細ミストを発生させることが可能となる。
【００５８】
本発明の態様２に係る加湿装置１００，１０１は、上記態様１において、前記防止機構は、前記電極（放電電極４２）における前記液滴が飛散してくる側を覆う遮蔽部５０である構成としてもよい。
【００５９】
上記の構成によれば、飛散した液滴が電極（放電電極４２）に付着することを未然に防止することができる。
【００６０】
本発明の態様３に係る加湿装置１００は、上記態様２において、前記遮蔽部５０は、前記電極（放電電極４２）における前記ファン６の回転方向下流側に搖動自在に設けられ、前記ファン６の回転にて生成される気流によって前記電極（放電電極４２）側に傾く壁状部材５１である構成としてもよい。
【００６１】
これによれば、ファン６の回転による気流を利用して、遮蔽部５０の遮光の度合いを変更可能な構成を実現できる。
【００６２】
本発明の態様４に係る加湿装置１０１は、上記態様２において、前記遮蔽部５０は、第２駆動機構（搖動機構５３）にて搖動される壁状部材５２であり、前記加湿装置１０１は、さらに、前記本体１内の湿度を検出する湿度センサ６０と、前記湿度センサ６０にて検出された湿度に応じて前記第２駆動機構（搖動機構５３）を駆動して前記壁状部材５２の前記電極（放電電極４２）側への傾きを変化させる制御部６１と、を備える構成とすることもできる。
【００６３】
これによれば、本体１内の湿度の状態によって、遮蔽部５０による遮蔽の度合いを変更可能な構成を実現できる。
【００６４】
本発明の態様５に係る加湿装置は、上記態様１において、前記電極（放電電極４２）は、前記ファン６の回転軸の軸方向に沿って複数並んで設けられており、前記防止機構は、液滴が付着した状態でもミストを発生し得る間隔に設けられた前記複数の電極（放電電極４２）である、構成としてもよい。
【００６５】
これによれば、部品点数を増加させることなく、簡単に、気化フィルタ１１より飛散した水滴によるミスト生成不良の問題を解決することができる。
【００６６】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【００６７】
本発明は、加湿装置はもちろんのこと、加湿機能を備えた空調装置にも利用することができる。
【符号の説明】
【００６８】
１  本体
６  ファン
７  送風モータ
８  回転軸
１１  気化フィルタ
１２  トレイ
２０  排気口
２１  吸気口
３２  フィルタ素材
４０  ミスト発生部
４２  放電電極
４３  保水性物質
４４  ミスト発生部
５０  遮蔽部
５１  壁状部材
５２  壁状部材
５３  搖動機構
６０  湿度センサ
６１  制御部
１００，１０１  加湿装置
【図１】
2016095115.tif 000003
【図２】
2016095115.tif 000004
【図３】
2016095115.tif 000005
【図４】
2016095115.tif 000006
【図５】
2016095115.tif 000007
【図６】
2016095115.tif 000008
【図７】
2016095115.tif 000009
【図８】
2016095115.tif 000010
【図９】
2016095115.tif 000011
【図１０】
2016095115.tif 000012
【図１１】
2016095115.tif 000013
【図１２】
2016095115.tif 000014
【図１３】
2016095115.tif 000015
【図１４】
2016095115.tif 000016